(57)【要約】【課題】確実に再点灯する光源装置を提供する。【解決手段】光源装置３０は、内部に一対の電極４２ａ，４２ｂが対向して配置された発光部４１１、および発光部４１１から延出する第１封止部４１２ａを有する放電灯４と、第１封止部４１２ａの外周に配置された中間支持部６と、中間支持部６を介して第１封止部４１２ａに固定され、発光部４１１から射出された光を反射するリフレクター５と、を備え、中間支持部６は、第１封止部４１２ａが延出する方向に垂直な方向の第１封止部４１２ａの外周に沿って断続的に設けられた複数の凸部を有する第１部材６０を備えている。【選択図】図２
2018185964.tif 000002
【特許請求の範囲】
【請求項１】
内部に一対の電極が対向して配置された発光部、および前記発光部から延出する第１封止部を有する放電灯と、
前記第１封止部の外周に配置された中間支持部と、
前記中間支持部を介して前記第１封止部に固定され、前記発光部から射出された光を反射するリフレクターと、
を備え、
前記中間支持部は、前記第１封止部が延出する方向に垂直な方向の前記第１封止部の外周に沿って断続的に設けられた複数の凸部を有する第１部材を備えていることを特徴とする光源装置。
【請求項２】
請求項１に記載の光源装置であって、
前記中間支持部は、前記複数の凸部のうち隣り合う前記凸部の間に、空隙が設けられていることを特徴とする光源装置。
【請求項３】
請求項１に記載の光源装置であって、
前記中間支持部は、前記複数の凸部のうち隣り合う前記凸部の間に配置された第２部材を備え、
前記第２部材の熱伝導率は、前記第１封止部の熱伝導率より小さいことを特徴とする光源装置。
【請求項４】
請求項１〜請求項３のいずれか一項に記載の光源装置であって、
前記リフレクターは、前記第１封止部が挿通される挿通孔を有し、
前記中間支持部は、前記第１封止部が延出する方向において、前記挿通孔の一部に設けられていることを特徴とする光源装置。
【請求項５】
請求項１〜請求項４のいずれか一項に記載の光源装置と、
前記光源装置から射出された光を変調する光変調装置と、
前記光変調装置で変調された光を投写する投写光学装置と、
を備えることを特徴とするプロジェクター。
【発明の詳細な説明】
【技術分野】
【０００１】
本発明は、光源装置、およびプロジェクターに関する。
【背景技術】
【０００２】
従来、光源装置から射出された光を画像情報に応じて変調し、変調した光をスクリーン等の投写面に投写するプロジェクターが知られている。この光源装置として放電型のランプを用いた装置が提案されている（例えば、特許文献１参照）。
【０００３】
特許文献１に記載のランプユニット（光源装置）は、発光管を備えた高圧水銀ランプと、反射鏡とを備えている。発光管は、内部に一対の電極が略同一軸上に互いに対向して配置された発光部と、この発光部の両端に設けられ、一対の電極それぞれの一部を封止する封止部とを有している。発光管は、例えば石英ガラスで形成され、内部の放電空間内には、発光物質である水銀と、始動補助用の希ガスとして例えばアルゴンガス等が封入されている。反射鏡は、反射面、および貫通孔を有するネック部を備えている。発光管は、一方の封止部が貫通孔に挿通され、口金および接着剤を介してネック部に支持されている。
【先行技術文献】
【特許文献】
【０００４】
【特許文献１】特開２０１１−１２４１８４号公報
【発明の概要】
【発明が解決しようとする課題】
【０００５】
特許文献１に記載の光源装置は、反射鏡の熱容量が発光管の熱容量より大きいと考えられるので、消灯されると、時間の経過とともに反射鏡の温度が発光管の温度より高くなり、反射鏡の熱がネック部を介して発光管（一方の封止部）に伝達される。
消灯時において、放電空間内の一方の封止部寄りに水銀が凝縮していると、反射鏡から一方の封止部に伝わった熱で、凝縮していた水銀が蒸発し、一対の電極間に付着して一対の電極間が短絡（水銀ブリッジという）する恐れがある。すなわち、特許文献１に記載の光源装置は、消灯時に水銀ブリッジが発生し、再点灯できない恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る光源装置は、内部に一対の電極が対向して配置された発光部、および前記発光部から延出する第１封止部を有する放電灯と、前記第１封止部の外周に配置された中間支持部と、前記中間支持部を介して前記第１封止部に固定され、前記発光部から射出された光を反射するリフレクターと、を備え、前記中間支持部は、前記第１封止部が延出する方向に垂直な方向の前記第１封止部の外周に沿って断続的に設けられた複数の凸部を有する第１部材を備えていることを特徴とする。
【０００８】
この構成によれば、光源装置は、放電灯とリフレクターとの間に配置された中間支持部を有しているので、放電灯とリフレクターとの間の熱伝導はこの中間支持部を介して行われる。そして、中間支持部は、断続的に設けられた複数の凸部を有する第１部材を備えているので、放電灯とリフレクターとの間の熱伝導を、この複数の凸部を介したものにすること、すなわち、熱移動可能な領域を狭くすることができる。よって、リフレクターと放電灯との間の熱移動を緩やかなものとすることができるので、消灯時における放電灯の温度上昇を抑え、凝縮していた発光部内の水銀が再び蒸発することを抑制することが可能となる。したがって、消灯時における水銀ブリッジの発生を防止し、確実に再点灯する光源装置の提供が可能となる。
【０００９】
［適用例２］上記適用例に係る光源装置において、前記中間支持部は、前記複数の凸部のうち隣り合う前記凸部の間に、空隙が設けられていることが好ましい。
【００１０】
この構成によれば、リフレクターから放電灯へ熱が伝わりにくくするとともに、外部から送風された空気をこの空隙に流通させることができる。よって、消灯時における水銀ブリッジの発生を防止するとともに、点灯時においても発光部を効率良く冷却可能な光源装置の提供が可能となる。
【００１１】
［適用例３］上記適用例に係る光源装置において、前記中間支持部は、前記複数の凸部のうち隣り合う前記凸部の間に配置された第２部材を備え、前記第２部材の熱伝導率は、前記第１封止部の熱伝導率より小さいことが好ましい。
【００１２】
この構成によれば、リフレクターから放電灯へ熱が伝わりにくくするとともに、リフレクターの中間支持部を介した放電灯の支持をより強固に行うことが可能となる。
【００１３】
［適用例４］上記適用例に係る光源装置において、前記リフレクターは、前記第１封止部が挿通される挿通孔を有し、前記中間支持部は、前記第１封止部が延出する方向において、前記挿通孔の一部に設けられていることが好ましい。
【００１４】
この構成によれば、放電灯とリフレクターとの間の熱移動可能な領域を、第１封止部が延出する方向において狭くすることが可能となる。よって、リフレクターから放電灯への熱移動をさらに緩やかにし、消灯時における水銀ブリッジの発生を確実に防止することが可能となる。
【００１５】
［適用例５］本適用例に係るプロジェクターは、上記のいずれか一項に記載の光源装置と、前記光源装置から射出された光を変調する光変調装置と、前記光変調装置で変調された光を投写する投写光学装置と、を備えることを特徴とする。
【００１６】
この構成によれば、プロジェクターは、確実に再点灯する光源装置を備えているので、使用終了後電源がオフされ、再び電源がオンされた際に確実に画像の投写が可能となる。
また、消灯時に光源装置が冷却されなくとも水銀ブリッジの発生が防止されるので、電源オフ時にクールダウンの動作を行わず、強制的に動作を停止するプロジェクターが可能となる。よって、使い勝手が良好なプロジェクターの提供が可能となる。
【図面の簡単な説明】
【００１７】
【図１】第１実施形態のプロジェクターの概略構成を示す模式図。
【図２】第１実施形態の光源装置を模式的に示す断面図。
【図３】第１実施形態の光源装置を模式的に示す断面図。
【図４】第２実施形態の光源装置を模式的に示す断面図。
【図５】第２実施形態の光源装置を模式的に示す断面図。
【図６】変形例の一例である中間支持部を説明するための模式図。
【図７】他の変形例である中間支持部を説明するための模式図。
【図８】他の変形例である中間支持部を説明するための模式図。
【発明を実施するための形態】
【００１８】
（第１実施形態）
以下、本実施形態に係る光源装置、およびプロジェクターについて、図面を参照して説明する。
本実施形態のプロジェクターは、光源から射出された光を画像情報に応じて変調し、変調した光をスクリーン等の投写面に拡大投写する。
【００１９】
〔プロジェクターの主な構成〕
図１は、本実施形態のプロジェクター１の概略構成を示す模式図である。
図１に示すように、プロジェクター１は、外装を構成する外装筐体２、制御部（図示省略）、および光源装置３０を有する光学ユニット３を備えている。なお、図示は省略するが、外装筐体２の内部には、さらに、冷却ファン等を備えた冷却装置、制御部や光源装置３０等に電力を供給する電源装置等が配置されている。
【００２０】
外装筐体２は、詳細な説明は省略するが、複数の部材で構成され、外気を取り込む吸気口、および外装筐体２内部の温まった空気を外部に排気する排気口等が設けられている。
【００２１】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置に備えられた冷却ファンの回転速度の制御等を行う。
【００２２】
〔光学ユニットの構成〕
光学ユニット３は、制御部による制御の下、光源装置３０から射出された光を光学的に処理して投写する。
光学ユニット３は、図１に示すように、光源装置３０に加え、光源装置用筐体３１、インテグレーター照明光学系３２、色分離光学系３３、リレー光学系３４、電気光学装置３５、投写光学装置としての投写レンズ３６、およびこれらの部材を光路上の所定位置に配置する光学部品用筐体３７を備える。
【００２３】
光源装置３０は、光源としての放電灯４、リフレクター５、および中間支持部６を備える。放電灯４は、超高圧水銀ランプであり、中間支持部６を介してリフレクター５が固定されている。光源装置３０は、放電灯４から射出された光をリフレクター５にて反射し、インテグレーター照明光学系３２に向けて射出する。光源装置３０については、後で詳細に説明する。
光源装置用筐体３１は、光源装置３０を収納し、光学部品用筐体３７に着脱可能に構成されている。
【００２４】
インテグレーター照明光学系３２は、レンズアレイ３２１，３２２、偏光変換素子３２３、および重畳レンズ３２４を備える。
レンズアレイ３２１は、小レンズがマトリクス状に配列された構成を有しており、光源装置３０から射出された光を複数の部分光に分割する。レンズアレイ３２２は、レンズアレイ３２１と略同様の構成を有しており、重畳レンズ３２４と共に、部分光を後述する光変調装置３５１に略重畳させる。偏光変換素子３２３は、レンズアレイ３２２から射出されたランダム光を光変調装置３５１で利用可能な偏光光に揃える機能を有している。
【００２５】
色分離光学系３３は、ダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する。
【００２６】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００２７】
電気光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備える。
光変調装置３５１は、透過型の液晶パネル、液晶パネルの光入射側に配置された入射側偏光板、および液晶パネルの光射出側に配置された射出側偏光板を備える。光変調装置３５１は、図示しない複数の微小画素がマトリクス状に形成された矩形状の画素領域を有し、入射する色光を変調してこの画素領域内に各色光の表示画像を形成する。
【００２８】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、光変調装置３５１Ｒ，３５１Ｂにて変調されたＲ光およびＢ光を反射し、光変調装置３５１Ｇにて変調されたＧ光を透過して、各色光を合成する。
【００２９】
投写レンズ３６は、複数のレンズ（図示省略）を有して構成され、クロスダイクロイックプリズム３５２にて合成された光を投写面に拡大投写する。
【００３０】
〔光源装置の構成〕
ここで、光源装置３０について、詳細に説明する。
図２は、光源装置３０を模式的に示す断面図であり、放電灯４の光軸Ａｘに交差する方向から見た図である。
光源装置３０は、図２に示すように、また、前述したように、放電灯４、リフレクター５、および中間支持部６を備える。
放電灯４は、図２に示すように、発光管４１、一対の電極４２ａ，４２ｂ、接続部材４３ａ，４３ｂ、およびリード端子４４ａ，４４ｂを備える。
発光管４１は、石英ガラス等の耐熱ガラスで形成され、図２に示すように、中央に設けられた球状の発光部４１１、およびこの発光部４１１の両側から、一対の電極４２ａ，４２ｂが対向する方向に沿って延出する第１封止部４１２ａ、第２封止部４１２ｂを有している。第１封止部４１２ａ、第２封止部４１２ｂが発光部４１１から延出する方向は、光軸Ａｘに沿っている。
【００３１】
発光部４１１の内部には、水銀、希ガス、およびハロゲン等が封入された放電空間が形成されており、一対の電極４２ａ，４２ｂが対向して配置されている。
一対の電極４２ａ，４２ｂは、互いの一端がこの放電空間に近接して対向し、他端側が第１封止部４１２ａ、第２封止部４１２ｂ内に配置されている。
接続部材４３ａは、電極４２ａと接続され、第１封止部４１２ａ内に配置されている。接続部材４３ｂは、電極４２ｂと接続され、第２封止部４１２ｂ内に配置されている。
【００３２】
リード端子４４ａは、一端が接続部材４３ａに接続され、他端側が第１封止部４１２ａから露出している。リード端子４４ｂは、一端が接続部材４３ｂに接続され、他端側が第２封止部４１２ｂから露出している。
放電灯４は、リード端子４４ａ，４４ｂに電力が供給されると、対向している電極４２ａ，４２ｂ間で放電が発生して光を射出する。
【００３３】
リフレクター５は、ガラス製であり、図２に示すように、筒状部５１、および筒状部５１から拡がる反射部５２を有している。反射部５２は、筒状部５１とは反対側が凹部となるように形成され、この凹部の表面（反射面５２Ｒ）には、金属薄膜が蒸着されている。
リフレクター５には、筒状部５１から反射部５２に亘って貫通し、第１封止部４１２ａが挿通される挿通孔５１１が設けられている。挿通孔５１１は、反射部５２側に形成された小径孔５１１ａ、および筒状部５１側に形成された大径孔５１１ｂを有している。小径孔５１１ａは、第１封止部４１２ａとの間に隙間５１１ｆを有する大きさに形成され、大径孔５１１ｂは、小径孔５１１ａの内径より大きな内径を有している。
【００３４】
放電灯４は、第１封止部４１２ａが挿通孔５１１に挿通され、発光部４１１が反射面５２Ｒ側に位置するように構成される。また、放電灯４において、第１封止部４１２ａは、中間支持部６を介して筒状部５１に接続される。
リフレクター５は、発光部４１１から射出された光を筒状部５１とは反対側に反射する。
【００３５】
図３は、光源装置３０を模式的に示す断面図であり、光軸Ａｘに沿う方向から見た筒状部５１における断面図である。
中間支持部６は、図２、図３に示すように、第１封止部４１２ａと、挿通孔５１１における大径孔５１１ｂの内面との間に配置されている。すなわち、中間支持部６は、第１封止部４１２ａの外周に配置され、かつ、第１封止部４１２ａが延出する方向において、挿通孔５１１の一部に設けられている。
【００３６】
中間支持部６は、セラミックスや金属等で形成された第１部材６０を備える。第１部材６０は、図３に示すように、外側環状部６１、内側環状部６２、および複数の凸部６３を有している。
外側環状部６１は、大径孔５１１ｂの内径より僅かに小さな外径の環状に形成されている。内側環状部６２は、第１封止部４１２ａが嵌合される内径を有して環状に形成されている。
【００３７】
複数の凸部６３は、外側環状部６１と内側環状部６２とを接続し、第１封止部４１２ａが延出する方向に垂直な方向の断面において第１封止部４１２ａの外周に沿って断続的に設けられている。本実施形態の凸部６３は、第１封止部４１２ａの外周に沿って等間隔で４つ設けられている。そして、複数の凸部６３のうち隣り合う凸部６３の間には、空隙６ｇが設けられている。なお、凸部６３の数は、複数であれば４つに限らない。
光源装置３０は、空隙６ｇおよび隙間５１１ｆが設けられていることによって、筒状部５１側の外部から発光部４１１への空気の流通が可能に構成されている（図２参照）。
【００３８】
なお、中間支持部６は、金型を用いた成形や、板金からのプレス加工等による成形が可能である。例えば、中間支持部６を板金で構成する場合には、ステンレス材等を用いてバネ性を有するように形成することで、第１封止部４１２ａとの嵌合を強固なものとすることや、外側環状部６１、内側環状部６２、および凸部６３の厚さを薄く形成し、空隙６ｇをより広いものとすることが可能である。
また、内側環状部６２と第１封止部４１２ａとの間に接着剤１０Ａが配置される構成であってもよい。
【００３９】
第１封止部４１２ａが嵌合された中間支持部６は、外側環状部６１と大径孔５１１ｂの内面との間に接着剤１０Ａが充填されてリフレクター５に固定される。接着剤１０Ａとしては、シリカ、アルミナ等を含む無機系の材料が用いられており、その熱伝導率は、１．０Ｗ／ｍＫ程度である。
このように、リフレクター５は、第１封止部４１２ａの外周に配置された中間支持部６を介して第１封止部４１２ａに固定される。
【００４０】
光源装置３０は、リフレクター５の熱容量が発光管４１の熱容量より大きいので、消灯されると、時間の経過とともにリフレクター５の温度が発光管４１の温度より高くなる。また、リフレクター５と発光管４１との間には中間支持部６が配置され、リフレクター５から発光管４１（第１封止部４１２ａ）への熱の移動は複数の凸部６３を介して行われるので、リフレクター５の熱が発光管４１に伝わりにくい。すなわち、複数の凸部６３を断続的に設けることで、リフレクター５から発光管４１への熱経路を小さくする。これによって、消灯時において、放電空間内の第１封止部４１２ａ寄りに水銀が凝縮したとしても（図２の２点鎖線で示す４１Ｈ）、発光管４１は、この水銀を蒸発させる程の温度には上昇しない。すなわち、水銀ブリッジが発生せずに一対の電極４２ａ，４２ｂ間が離間した状態が維持される。
【００４１】
また、光源装置３０には、空隙６ｇおよび隙間５１１ｆ（図２参照）が設けられているので、図示しない冷却装置から送風された空気を空隙６ｇおよび隙間５１１ｆに流通させることができる。
【００４２】
以上説明したように、本実施形態の光源装置３０およびプロジェクター１によれば、以下の効果を得ることができる。
（１）光源装置３０は、中間支持部６を備え、リフレクター５と発光管４１との間の熱移動を緩やかなものとすることができるので、消灯時における発光管４１の温度上昇を抑え、凝縮していた発光部４１１内の水銀が再び蒸発することを抑制することが可能となる。したがって、消灯時における水銀ブリッジの発生を防止し、確実に再点灯する光源装置３０の提供が可能となる。
【００４３】
（２）光源装置３０には、空隙６ｇおよび隙間５１１ｆ（図２参照）が設けられているので、冷却装置から送風された空気で発光部４１１を冷却することができる。よって、点灯時においても発光部４１１を効率良く冷却可能な光源装置３０の提供が可能となる。
【００４４】
（３）中間支持部６は、第１封止部４１２ａが延出する方向において、挿通孔５１１の一部に設けられている。これによって、発光管４１とリフレクター５との間の熱移動可能な領域（熱経路）を、第１封止部４１２ａが延出する方向において狭くすることが可能となる。よって、リフレクター５から発光管４１への熱移動をさらに緩やかにし、消灯時における水銀ブリッジの発生を確実に防止することが可能となる。
【００４５】
（４）プロジェクター１は、確実に再点灯する光源装置３０を備えているので、使用終了後電源がオフされ、再び電源がオンされた際に確実に画像の投写が可能となる。
また、消灯時に光源装置３０が冷却されなくとも水銀ブリッジの発生が防止されるので、電源オフ時にクールダウンの動作を行わず、強制的に動作を停止するプロジェクター１が可能となる。よって、使い勝手が良好なプロジェクター１の提供が可能となる。
【００４６】
（第２実施形態）
以下、第２実施形態に係る光源装置１３０について、図面を参照して説明する。以下の説明では、第１実施形態の光源装置３０と同様の構成要素には、同一符号を付し、その詳細な説明は省略または簡略化する。
図４は、本実施形態の光源装置１３０を模式的に示す断面図であり、光軸Ａｘに交差する方向から見た図である。図５は、光源装置１３０を模式的に示す断面図であり、光軸Ａｘに沿う方向から見た図である。
光源装置１３０は、図４、図５に示すように、放電灯４に加え、第１実施形態の光源装置３０におけるリフレクター５および中間支持部６とはそれぞれ異なる、リフレクター７および中間支持部８を備える。
【００４７】
リフレクター７は、反射本体部７１および支持部７２を備え、中間支持部８を介して放電灯４に固定されている。
反射本体部７１は、第１実施形態のリフレクター５における反射面５２Ｒと略同形状の反射面７１Ｒを有する反射部７１１、およびリフレクター５における筒状部５１（図２参照）のサイズより小さなサイズの第１筒状部７１２を有している。そして、反射本体部７１には、第１筒状部７１２から反射本体部７１に亘って貫通する小径孔７１ｈが設けられている。
【００４８】
支持部７２は、反射部７１１の一部および第１筒状部７１２に積層される積層部７２１、および積層部７２１から反射部７１１とは反対側に延出する第２筒状部７２２を有している。
第２筒状部７２２には、第１筒状部７１２の一部が挿入される大径孔７２ｈ、および通気孔７２３が形成されている。小径孔７１ｈおよび大径孔７２ｈは、第１封止部４１２ａが挿通される挿通孔７０ｈである。小径孔７１ｈは、第１封止部４１２ａとの間に隙間７１ｆを有する大きさに形成され、大径孔７２ｈは、小径孔７１ｈの内径より大きな内径を有している。
通気孔７２３は、大径孔７２ｈと外部とを連通させる孔であり、積層部７２１近傍に複数形成されている。
【００４９】
支持部７２は、積層部７２１の内面と反射本体部７１との間に接着剤１０Ｂが充填されて反射本体部７１に固定される。接着剤１０Ｂは、接着剤１０Ａと同様の材料で形成されている。
【００５０】
中間支持部８は、図４に示すように、第１実施形態における第１部材６０に加え、第２部材８０を備えている。中間支持部８は、第１封止部４１２ａと大径孔７２ｈの内面との間で、第１封止部４１２ａが延出する方向において、通気孔７２３に対して第１筒状部７１２とは反対側に配置されている。すなわち、中間支持部８は、第１封止部４１２ａが延出する方向において、挿通孔７０ｈの一部に設けられている。
【００５１】
第２部材８０は、複数の凸部６３のうち隣り合う凸部６３の間に配置され、本実施形態においては、第２部材８０は、隣り合う凸部６３の間に充填されている。また、第２部材８０は、発光管４１（第１封止部４１２ａ）の熱伝導率より小さな熱伝導率の部材が用いられている。例えば、発光管４１が石英ガラス（熱伝導率：１．３８〜２．６８Ｗ／ｍＫ）で構成された場合、第２部材８０として、例えば、シリコン系のゴム材（熱伝導率：０．２Ｗ／ｍＫ程度）や、石炭（熱伝導率：０．０３Ｗ／ｍＫ程度）、ガラスウール（熱伝導率：０．０４Ｗ／ｍＫ程度）等を用いることができる。
【００５２】
第１封止部４１２ａが嵌合された中間支持部８は、外側環状部６１と大径孔７２ｈの内面との間に接着剤１０Ａが充填されて第２筒状部７２２に固定される。
このように、光源装置１３０は、リフレクター７が反射本体部７１および支持部７２を備え、リフレクター７は、複数の凸部６３、および隣り合う凸部６３の間に配置された第２部材８０を介して、放電灯４に固定されている。
【００５３】
光源装置１３０は、リフレクター７が２体で構成されているので、反射本体部７１から第２筒状部７２２への熱の伝わり方は、第１実施形態の反射部５２から筒状部５１への熱の伝わり方より伝わりにくいものとなる。さらに、光源装置１３０は、第２筒状部７２２から第１封止部４１２ａへの熱の移動が、複数の凸部６３および第２部材８０を介して行われるので、第２筒状部７２２の熱が第１封止部４１２ａに伝わりにくい。これによって、消灯時において、発光管４１の温度上昇が抑制され、水銀ブリッジが発生せずに一対の電極４２ａ，４２ｂ間が離間した状態が維持される。
【００５４】
また、光源装置１３０には、通気孔７２３および隙間７１ｆ（図４参照）が設けられているので、図示しない冷却装置から送風された空気を通気孔７２３および隙間７１ｆに流通させ、発光部４１１を冷却することができる。
【００５５】
以上説明したように、本実施形態の光源装置１３０によれば、以下の効果を得ることができる。
（１）放電灯４は、複数の凸部６３、および第１封止部４１２ａの熱伝導率より小さい熱伝導率の第２部材８０を介してリフレクター７が固定されている。これによって、リフレクター７から発光管４１へ熱が伝わりにくくすることによる水銀ブリッジの発生の防止とともに、リフレクター７の中間支持部８を介した放電灯４への固定をより強固に行うことが可能となる。
【００５６】
（２）リフレクター７は、反射本体部７１および支持部７２を備え、支持部７２が中間支持部８を介して放電灯４に固定されている。これによって、一体で形成された第１実施形態のリフレクター５に比べ、第１封止部４１２ａを保持する第２筒状部７２２の温度を下げるとともに、通気孔７２３を容易に形成することが可能となる。よって、消灯時における水銀ブリッジの発生を防止するとともに、点灯時においても発光部４１１を効率良く冷却可能な光源装置１３０の提供が可能となる。
【００５７】
（変形例）
なお、前記実施形態は、以下のように変更してもよい。
前記実施形態の中間支持部６，８における第１部材６０は、外側環状部６１および内側環状部６２を有しているが、外側環状部６１および内側環状部６２のうちいずれか一方を有する構成も可能である。
図６は、変形例の一例である中間支持部９Ａを説明するための模式図であり、前述した光源装置３０，１３０の中間支持部６，８に替えて配置された中間支持部９Ａを示す図である。
中間支持部９Ａは、第１部材９１を備える。第１部材９１は、図６に示すように、前記実施形態における外側環状部６１を有さず、内側環状部９１１、および複数の凸部９１２を有している。そして、第１部材９１は、凸部９１２の外側に設けられた接着剤１０Ａを介して筒状部５１または第２筒状部７２２に固定される。
また、図６に示す中間支持部９Ａは、隣り合う凸部９１２の間が空隙９１ｇとなるように構成されているが、この空隙９１ｇに発光管４１の熱伝導率より小さな熱伝導率の第２部材が配置される構成であってもよい。
【００５８】
図７は、他の変形例である中間支持部９Ｂを説明するための模式図であり、前述した光源装置３０，１３０の中間支持部６，８に替えて配置された中間支持部９Ｂを示す図である。
中間支持部９Ｂは、第１部材９２を備える。第１部材９２は、図７に示すように、前記実施形態における内側環状部６２を有さず、外側環状部９２１、および複数の凸部９２２を有している。そして、第１部材９２は、外側環状部９２１の外側に設けられた接着剤１０Ａを介して筒状部５１または第２筒状部７２２に固定される。
また、図７に示す中間支持部９Ｂは、隣り合う凸部９２２の間が空隙９２ｇとなるように構成されているが、この空隙９２ｇに発光管４１の熱伝導率より小さな熱伝導率の第２部材が配置される構成であってもよい。
【００５９】
図８は、他の変形例である中間支持部９Ｃを説明するための模式図であり、前述した光源装置３０，１３０の中間支持部６，８に替えて配置された中間支持部９Ｃを示す図である。
中間支持部９Ｃは、接着剤１０Ａと同様の成分を有する接着剤で形成された第１部材９３を備えている。第１部材９３は、第１封止部４１２ａと筒状部５１または第２筒状部７２２との間に充填され、固形化した後、図８に示すように、複数の空隙９３ｇが穴開け加工によって形成される。そして、中間支持部９Ｃは、第１封止部４１２ａが延出する方向に垂直な方向の断面において第１封止部４１２ａの外周に沿って断続的に設けられた複数の凸部９３１を有することとなる。
また、図８に示す中間支持部９Ｃは、隣り合う凸部９３１の間が空隙９３ｇとなるように構成されているが、この空隙９３ｇに発光管４１の熱伝導率より小さな熱伝導率の第２部材が配置される構成であってもよい。
【００６０】
第１実施形態の光源装置３０における空隙６ｇに、発光管４１の熱伝導率より小さな熱伝導率の第２部材が配置された光学装置を構成してもよい。
また、第２実施形態の光源装置１３０における第２部材８０が配置された部位が空隙となるような光学装置を構成してもよい。
【００６１】
前記実施形態のプロジェクター１は、透過型の液晶パネルを有する光変調装置３５１を備えているが、反射型の液晶パネルを有する光変調装置を備えた構成であってもよい。また、マイクロミラー型の光変調装置、例えば、ＤＭＤ（Digital Micromirror Device）等を備えた構成であってもよい。
【００６２】
前記実施形態のプロジェクター１は、Ｒ光、Ｇ光、およびＢ光に対応する３つの光変調装置を用いた、いわゆる３板方式を採用しているが、これに限らず、単板方式を採用してもよく、あるいは、２つまたは４つ以上の光変調装置を備えるプロジェクターにも適用できる。
【符号の説明】
【００６３】
１…プロジェクター、４…放電灯、５，７…リフレクター、６，８，９Ａ，９Ｂ，９Ｃ…中間支持部、６ｇ，９１ｇ，９２ｇ，９３ｇ…空隙、３０，１３０…光源装置、３６…投写レンズ（投写光学装置）、４１…発光管、４２ａ，４２ｂ…電極、６０，９１，９２，９３…第１部材、６３，９１２，９２２，９３１…凸部、７０ｈ，５１１…挿通孔、８０…第２部材、３５１…光変調装置、４１１…発光部、４１２ａ…第１封止部、４１２ｂ…第２封止部。
【図１】
2018185964.tif 000003
【図２】
2018185964.tif 000004
【図３】
2018185964.tif 000005
【図４】
2018185964.tif 000006
【図５】
2018185964.tif 000007
【図６】
2018185964.tif 000008
【図７】
2018185964.tif 000009
【図８】
2018185964.tif 000010